(57)【要約】【課題】杖の地面に対する角度によらず杖の滑りを防止できる杖を提供する。【解決手段】棒状の杖本体を設けるとともに、該杖本体上部に握持部を設け、滑り防止部として杖本体下端に、外方に向けて放射状に形成された多数の突起を設けたことを特徴とする。【選択図】図１
2018089323.tif 000002
【特許請求の範囲】
【請求項１】
棒状の杖本体を設けるとともに、該杖本体上部に握持部を設け、滑り防止部として杖本体下端に、外方に向けて放射状に形成された多数の突起を設けたことを特徴とする滑り防止杖。
【請求項２】
握持部を変形環状としてなる請求項１記載の滑り防止杖。
【請求項３】
滑り防止部を、球体外面に突起を放射状に多数設けたものとした請求項１または２記載の滑り防止杖。
【請求項４】
滑り防止部素材を、生ゴムにセラミック微粒子を混入したものとした請求項１〜３のいずれかの項に記載の滑り防止杖。
【発明の詳細な説明】
【技術分野】
【０００１】  この発明は、杖を突く角度にかかわらずに滑り止め機能を発揮できる杖に関する。
【背景技術】
【０００２】  従来より、多種多様な杖が利用されているが、本発明にて示すように下端に多数突起を設けたものは見当たらない。
【発明の概要】
【発明が解決しようとする課題】
【０００３】  杖は歩行補助具として古くから使われてきた。一般的にはその上部を握持部として用い、下端には滑り止めと衝撃緩和のためにゴムキャップ等が設けられている。
通常はこの杖を地面に垂直に当てて用いるが、人によってはその角度が異なることがある。すると、地面を杖にて押圧したときに不安定状態となって滑りやすく危険である。
とりわけ、降雪地域の冬期においてはさらに危険度が高まる。地域によって積雪状態も変化し、外気温でも変化する。凍結路面は最も危険であるため、冬期用の杖もよく使われている。この冬期用の杖は、先鋭な金具を杖下端近傍に回動可能に設けたもので、必要に応じてこの金具を回動させてその先鋭部分を杖下端に突出させて、凍結路面上でも安全に歩行するというものである。しかし、この方式は屋内歩行には使えない。
金属部分が床を傷つけるからである。前記したように、杖を地面に対し垂直もしくはほぼ垂直にあてがわねば杖下端が滑って、冬期はとくに危険であるが、このような問題に対し適切な手段が見当たらないのが現状である。
本発明は以上に鑑み、杖下端に突出方向を違えた突起を多数設けることにて既述の課題を解決することのできる新規かつ有用なる手段を提供することを目的として発明されたものである。
【課題を解決するための手段】
【０００４】  課題を解決する手段として本発明は以下の構成とした。
すなわち、棒状の杖本体を設けるとともに、該杖本体上部に握持部を設け、滑り防止部として杖本体下端に、外方に向けて放射状に形成された多数の突起を設ける。
本発明は、以上の構成よりなる滑り防止杖である。
【発明の効果】
【０００５】  本発明は下記の効果を有する。
１．滑り防止部に放射状の多数突起を設けたので、地面に対する杖角度が変化しても、杖  の地面に対する滑りを防止することができる。
２．滑り防止部に、生ゴムにセラミック微粒子を混入したものを用いることにより、地面  に対する摩擦抵抗を向上させて、滑り防止効果を高めることができる。
３．滑り防止部の突起形状を円錐形とすることにて、摩擦抵抗向上と耐久性向上を得て、  安全に歩行することができる。
４．杖本体上部に変形環状の握持部を設けることにて、使用者の手を保護することができ  る。
【図面の簡単な説明】
【０００６】
【図１】本発明の正面図
【図２】本発明の右側面図
【図３】本発明の要部構造説明図
【図４】本発明の要部構造説明図
【図５】本発明の使用説明図
【発明を実施するための最良の形態】
【０００７】  以下、本発明の実施形態について説明する。
図において、１は適宜長の杖本体でアルミニューム管である。２は握持部である。
この握持部は正面視において変形環状を有し、その上部の一方には突起状の親指保護部３が形成される。この握持部は図３にて示すように、所定形状のアルミ材による芯材４にシリコンによる被覆材５を覆設して形成され、この芯材下部は円柱形の挿入部６が形成される。この挿入部は杖本体上端より挿入固着され、被覆材外面下部と杖本体外面は一致している。
１０は滑り防止部で、以下のごとく形成される。
１１は円柱形の挿入部で、その下部は鍔部状となり、杖本体下端に図４のように挿入固着され、鍔部１２の上面と杖本体下端は一致する。１３は挿入部に一体形成される球体で、この球体表面には円錐形の突起１４が放射状に多数形成される。
以上の挿入部と球体および突起は、生ゴムにセラミック微粒子を混入成形した材料にて形成される。以上が本発明の一実施形態である。【０００８】  本発明の使用に際しては、握持部を握り、一般の杖同様に用いる。使用において杖下端の突起が地面に接するが、この突起は既述のごとく球体表面に放射状に多数設けられているため、図５のごとく地面に対し杖が傾いてもこの突起のいずれかが必ず地面に接するので、杖の地面に対する滑りを防止することができる。
この突起は生ゴムにセラミック微粒子を混入したものであるので、適度の剛性と弾力および摩擦抵抗を有しているので、地面に対する杖の滑りを確実に防止することができる。
さらに、本例では突起を円錐形状としており、摩擦抵抗の増大と杖を地面に突いたときの衝撃緩和の双方の効果を得ることができる。なお、握持部への握りは、親指を外側に他の指を握持部内部空間に位置させて握り、各指を保護することができ、親指は突起状の親指保護部に接して握ることにて、親指の保護と杖に対する指位置を定めることができる。【０００９】  以上、本発明について記したが、本発明は杖下端に多数の突起を設けることにより、地面に対する杖の傾きによらず、いずれかの突起が地面に押圧接触して、地面に対する杖の滑りを防止するところにその特徴を有するものである。従って、高齢者、身体障害者等にも多くの利便性を提供し得るものである。
既例において、芯材にシリコンを覆設して杖を握ったときの手へのなじみ感が得られ、変形環状の握持部中に各指が入るので、万一転んだときでも指へのダメージを極小とすることができ、親指は突起状の親指保護部に近接して位置するので、この突起にて親指を保護することができる。
下端突起は既述のように生ゴムにシリコン微粒子を混入して円錐形に成形されるために、生ゴムの摩擦抵抗とシリコンの剛性の双方を得て、地面への摩擦抵抗を増大することができる。なお、セラミックに代えて、カーボンやアルミ粉などを用いてもよい。
既例での杖本体はアルミ管一体形としたが、外径の異なる２本の管体とバネ等を用い、杖本体の長さを調整可能としてもよく、かつ杖本体内に衝撃感知装置とこれに連動する発音装置を設けると、使用者が倒れた場合に発音して周囲に知らせることができる。
なお、本発明の方式は一般の杖のみならず松葉杖にも十分利用可能である。
以上のごとく、本発明によって杖の角度によらず地面への杖の滑りを防止して安全に歩行することのできる有用なる杖を得ることができる。
【符号の説明】
【００１０】  １    杖本体
２    握持部
３    親指保護部
４    芯材
５    被覆材
６    挿入部
１０  滑り防止部
１１  挿入部
１２  鍔部
１３  球体
１４  突起
【図１】
2018089323.tif 000003
【図２】
2018089323.tif 000004
【図３】
2018089323.tif 000005
【図４】
2018089323.tif 000006
【図５】
2018089323.tif 000007